(57)【要約】      （修正有）【課題】光源及び電源モジュールが発生する熱を口金に伝達し、放熱するＬＥＤランプ構造を提供する。【解決手段】ＬＥＤランプ構造は、口金１、光源組２、電源モジュール３、及び電源コネクタ４を含む。口金内に収容室１０を有し、収容室内壁上に複数の第１固定部１１及び複数の第２固定部１２を設け、各第２固定部上縁は、第１固定部上縁より比較的低く、第１固定部上に第１受け板１１１を共同で組み込み、第２固定部上に第２受け板１２１を共同で設け、光源組を第１受け板上に固定設置させ、第１受け板との間に導熱薄片１１２を設け、電源モジュールは、第２受け板上に固定設置される。【選択図】図３
0003171750.tif 000002
【実用新案登録請求の範囲】
【請求項１】
内部に収容室を有し、該収容室内壁上に複数の第１固定部及び複数の第２固定部を設け、且つ該第２固定部上縁が該第１固定部上縁より比較的低く、該第１固定部上に第１受け板を組み込み固定設置し、該第２固定部上に第２受け板を固定設置する口金と、
該第１受け板上に固定設置され、該第１受け板との間に導熱薄片を設ける光源組と、
該光源組と電気接続し、該収容室内に位置し、該第２受け板上に固定設置される電源モジュールと、
該口金末端に設けられ、該電源モジュールと電気接続する電源コネクタと、
を含むLEDランプ構造改良。
【請求項２】
前記口金外側周囲に複数のヒートシンク片を設ける請求項１に記載のLEDランプ構造改良。
【請求項３】
前記口金が非金属の放熱性材質で形成される請求項１又は２に記載のLEDランプ構造改良。
【請求項４】
前記非金属の放熱性材質は、プラスチックに導熱材質を混入して形成される請求項３に記載のLEDランプ構造改良。
【請求項５】
前記導熱材質が金属粉末又は炭素である請求項４に記載のLEDランプ構造改良。
【請求項６】
前記収容室の該口金大口縁近傍に環状の凸縁を形成し、且つ前記第１受け板は、該凸縁上に重ねて設けられる請求項１に記載のLEDランプ構造改良。
【請求項７】
前記第１固定部上縁は、該凸縁と同一高さ平面上に位置する請求項６に記載のLEDランプ構造改良。
【請求項８】
前記収容室内壁上に該第１，第２固定部を組み合わせ、複数の第１リブ及び複数の第２リブを設け、且つ該第１，第２リブが該収容室内中心に向けて延伸し、該第１，第２リブをそれぞれ該第１，第２リブ末端箇所に設けさせる請求項１に記載のLEDランプ構造改良。
【請求項９】
前記光源組は、回路板と、該回路板上に設けられるLEDユニットと、を含み、且つ該回路板背面は、該導熱片上に平らに貼付される請求項１に記載のLEDランプ構造改良。
【請求項１０】
前記光源組は、更に前記LEDユニットをそれに向けて投射させる透光マスクを含む請求項９に記載のLEDランプ構造改良。
【請求項１１】
前記口金及び該透光マスク間は、第１防水パッドを設け、該口金及び該電源コネクタ間は、第２防水パッドを設ける請求項１０に記載のLEDランプ構造改良。
【請求項１２】
前記第１固定部は、複数の固定部材を順に該回路板、該導熱薄片及び該第１受け板に貫通して組み立て固定設置してなる請求項９に記載のLEDランプ構造改良。
【請求項１３】
前記導熱薄片は、グラファイト材質から形成される請求項１又は１２に記載のLEDランプ構造改良。
【請求項１４】
前記第２固定部は、複数の固定部材により該第２受け板を貫通して固定設置される請求項１に記載のLEDランプ構造改良。
【請求項１５】
前記固定部材は、螺子又は螺子栓である請求項１２又は１４に記載のLEDランプ構造改良。
【考案の詳細な説明】
【技術分野】
【０００１】
本考案は、ランプに関し、LEDランプ構造改良に関する。
【背景技術】
【０００２】
従来のLEDランプは、通常、その口金内に灯板を一体に形成し、LED光源の回路板及び該灯板を貼合させ、相互間に導熱ペーストを塗布し、該灯板を介し、LED光源が発生する熱を口金上に伝達する。しかしながら、導熱ペーストは、使用する温度及び時間により乾燥揮発し、ヒートシンク効果等に影響を及ぼす。同時に、従来のLEDランプは、口金内に直接該灯板を一体に形成しており、この種の構造は、ハイパワーな照明設備上に応用することができず、なぜならば、ハイパワーの照明設備は、通常、比較的大きな体積の電源モジュールを有するので、溶接杯収縮口箇所から入ることができず、組み込みできなくなる問題を招くからである。
【０００３】
また、従来のLEDランプ内の電源モジュールは、口金又は電気コネクタ内に簡単に入れられるだけであるので、電源モジュール自身が発生する熱は、効率的に口金を介して散逸することができず、過熱により損壊の可能性の問題を発生する。
【０００４】
これに鑑みて、本考案者は、上記欠陥を改善、解決する為、研究に潜心し、学理の運用を合わせ、ようやく設計が合理的であり且つ効率的に上記欠陥を改善する本考案を提出する。
【先行技術文献】
【特許文献】
【０００５】
【特許文献１】特開２００６−２１０５３７号公報
【考案の概要】
【考案が解決しようとする課題】
【０００６】
本考案の主要な目的は、LEDランプ内に２つの受け板を設置し、それぞれLEDランプの光源組及び電源モジュールを固定設置させ、２つの受け板を介し、光源組及び電源モジュールが発生する熱をそれぞれLEDランプの口金上に伝達し、両者の放熱を兼ね備えるという要求を達成するLEDランプ構造改良を提供することにある。
【０００７】
本考案のもう1つの目的は、光源組を固定設置させる受け板、及び光源組の間が例えば、グラファイト材質で構成される導熱薄片を介し、熱伝達作用を達成し、導熱ペーストの乾燥揮発等の問題を有さないLEDランプ構造改良を提供することにある。
【０００８】
本考案の更にもう1つの目的は、光源組を固定設置させる受け板を組み込み方式で口金上に固定設置し、電源モジュールを口金の大口縁箇所から先に入れることにより、ハイパワー照明設備の組み立てに適用可能にするLEDランプ構造改良を提供することにある。
【０００９】
本考案の次の目的は、口金が非金属の放熱性材質から形成され、電気ショック等の危険の発生を回避しなければならない関連規定に適合するLEDランプ構造改良を提供することにある。
【００１０】
本考案の更に次の目的は、戸外又は工業上に適用し、良好な防水機能を兼ね備えるLEDランプ構造改良を提供することにある。
【課題を解決するための手段】
【００１１】
上記の目的を達成する為、本考案が提供するLEDランプ構造改良は、口金と、電気接続を行う光源組と、電源モジュールと、電源コネクタと、を含み、且つ電源コネクタは、灯は末端に設けられる。そのうち、口金内部に収容室を有し、収容室内壁上に複数の第1固定部及び複数の第２固定部を設け、各第２固定部上縁が各第１固定部状縁に比較して低く、第１固定部上に共同で第１受け板を組み立て固定設置し、第２固定部上に共同で第２受け板を固定設置し、光源モジュールを第１受け板上に固定設置させ、第１受け板との間に導熱薄片を設け、電源モジュールは、収容室内に位置し、且つ第２受け板上に固定設置される。これにより、上記の主要な目的、もう１つの目的、更にもう１つの目的を達成する。
【００１２】
上記の目的を達成する為、本考案が提供するLED構造改良は、そのうち、口金が非金属の放熱性材質により一体に形成され、上記の次の目的を達成する。
【００１３】
上記の目的を達成する為、本考案が提供するLEDランプ構造改良は、更に、透光マスクを含み、口金及び透光マスク間に第１防水パッドを設け、口金及び電源コネクタ間に第２防水パッドを設ける。これにより、上記の更に次の目的を達成する。
【考案の効果】
【００１４】
本考案は、室内ランプに適用可能であるだけでなく、戸外又は工業上の各式ランプに適用可能であり、特にハイパワー照明設備の組み込みに適用でき、第１受け板１１１は、固定部材１１３等の組み込み方式で口金上に固定設置できるので、組み立て前には、電源モジュール４を先に口金１の大口縁箇所から入れ、ハイパワー照明設備の組み立て上の不便、又は組み立て不可等の問題を解決可能である。
【図面の簡単な説明】
【００１５】
【図１】本考案の分解説明図である。
【図２】本考案の組み合わせ説明図である。
【図３】本考案の組み合わせ断面図である。
【図４】図３のＡ部分の拡大図である。
【図５】図３のＢ部分の拡大図である。
【考案を実施するための形態】
【００１６】
本考案の特徴及び技術内容を更に分かり易くする為、以下に本考案に関する詳細な説明及び図面を参照するが、図面は、参考及び説明用に提供するだけであり、本考案に対し制限することに用いるのではない。
【００１７】
図１及び図２を参照し、それらは、それぞれ本考案の分解説明図及び組み合わせ説明図である。本考案が提供するLEDランプ構造改良は、口金１、光モジュール組２、電源モジュール３、及び電源コネクタ４を含む。
【００１８】
図３を併せて参照し、それらに示すように、該口金１は、非金属の放熱性材質から一体に形成されることができ、例えば、プラスチック射出又は押し出し成型を利用する時、可塑料内に金属粉末又は炭素等の導熱材質を加え、それに放熱性をもたせる。該口金１は、杯状を呈し且つ内が中空であり、その内部に収容室１０を形成し、収容室１０の口金１の大口縁箇所に環状の凸縁１００を形成し、上記光源組２をその上に設置させる。
【００１９】
上記のように、該口金１の収容室１０内壁上には、複数の第１固定部１１及び複数の第２固定部１２を設け、前記第１固定部１１上縁及び凸縁１００は、略同一高さの平面上に位置し、前記第２固定部１２上縁は、第１固定部１１上縁より比較的低く、且つ第１固定部１１上縁から第２固定部１２内縁までの間の距離は、少なくとも上記電源モジュール３を収容するに十分である。また、収容室１０内壁上に前記第１，第２固定部１１，１２を組み合わせることもでき、複数の第１リブ１１０及び第２リブ１２０を設け、各第１，第２リブ１１０，１２０は、収容室１０内の中心に向き、延伸し、前記第１，第２リブ１１０，１２０をそれぞれ各第１，第２リブ１１０，１２０の末端箇所に設けさせる。また、該口金１外側周囲箇所は、外向きに延伸する複数のヒートシンク片１３を環設し、必要な放熱を提供する。
【００２０】
該光源組２は、上記口金１の凸縁１００上に設けられ、回路板２０、少なくとも１つの該回路板２０上に設けられるLEDユニット２１、及びLEDユニット２１をそれに向けて投射させる透光マスク２２を含むことができる。前記回路板２０は、第１受け板１１１上に設けられ、該第１受け板１１１及び回路板２０の間に導熱薄片１１２を設け、光源組２の回路板２０の背面は、該導熱片１１２上に平らに貼付され、該導熱薄片１１２により光源組２を第１受け板１１１上に併せて重ね置き、最後に、光源組２及び導熱薄片１１２を重ね置いた第１受け板を口金１の凸縁１００上に重ね置き、複数の固定部材１１３を介し、順に光源組２の回路板２０、導熱薄片１１２及び第１受け板１１１を貫通し、それぞれ第１固定柱１１と結合し、光源組２を口金１の凸縁１００上に定位することができる。また、前記導熱薄片１１２は、グラファイト材質から形成されることができる。各固定部材１１３は、螺子又は螺子栓であることができる。
【００２１】
該電源モジュール３は、上記光源組２と電気接続することに用い、それは、上記口金１の収容室１０内に設置され、第２受け板１２１上に設けられ、該第２受け板１２１は、口金１の各第２固定柱１２上縁に重なり合い、複数の固定部材１２２を介し、第２受け板１２１を貫通し、それぞれ第２固定柱１２と結合して、電源モジュール３を口金１の収容室内に定位することができる。
【００２２】
該電源コネクタ４は、上記電源モジュール３と電気接続を行うことに用い、それは、口金１の末端に設置され、延伸して出る挿入部４０と、挿入部４０末端に被さる導接部４１を含み、必要な電力に接続することに用いる。
【００２３】
従って、上記の構造構成により、本考案のLEDランプ構造改良を得ることができる。
【００２４】
これに基づき、図３に示すように、光源組２の各LEDユニット２１が熱を発生する時、導熱薄片１１２を介し、熱を第１受け板１１１上に伝達することができ、更に第１受け板１１１を経由し、各第１固定柱１１を介して熱を口金１上に伝達し、口金１外側周囲の各ヒートシンク片１３により放熱の要求を達成する。また、電源モジュール３も熱を発生するので、第２受け板１２１を介して熱を各第２固定柱１１に伝達し、各第２固定柱１１を経由し、熱を口金１上に伝達し、口金１外側周囲の各ヒートシンク１３を経由し、放熱の要求を達成する。このように、熱を効率的に口金１上に均等に分散させ、同時に光源組２及び電源モジュール３に放熱効果を提供する。
【００２５】
更に、図３〜図５を併せて参照し、防水の要求を達成する為、該口金１及び透光マスク２２の間に第１防水パッド１０１を設け（図４参照）、該口金１及び電源コネクタ４の間に第２防水パッド１０２を設け（図５参照）、防水の要求を達成する。
【００２６】
提示すべきこととして、本考案は、室内ランプに適用可能であるだけでなく、戸外又は工業上の各式ランプに適用可能であり、特にハイパワー照明設備の組み込みに適用でき、第１受け板１１１は、固定部材１１３等の組み込み方式で口金上に固定設置できるので、組み立て前には、電源モジュール４を先に口金１の大口縁箇所から入れ、ハイパワー照明設備の組み立て上の不便、又は組み立て不可等の問題を解決可能である。
【００２７】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００２８】
＜本考案＞
１  口金
１０  収容室
１００  凸縁
１０１  第１防水パッド
１０２  第２防水パッド
１１  第１固定部
１１０  第１リブ
１１１  第１受け板
１１２  導熱薄片
１１３  固定部材
１２  第２固定部
１２０  第２リブ
１２１  第２受け板
１２２  固定部材
１３  シートシンク片
２  光源組
２０  回路板
２１  LEDユニット
２２  透光マスク
３  電源モジュール
４  電源コネクタ
４０  挿入部
４１  導接部
【図１】
0003171750.tif 000003
【図２】
0003171750.tif 000004
【図３】
0003171750.tif 000005
【図４】
0003171750.tif 000006
【図５】
0003171750.tif 000007
【手続補正書】
【提出日】平成23年9月2日(2011.9.2)
【手続補正２】
【補正対象書類名】実用新案登録請求の範囲
【補正対象項目名】全文
【補正方法】変更
【補正の内容】
【実用新案登録請求の範囲】
【請求項１】
内部に収容室を有し、該収容室内壁上に複数の第１固定部及び複数の第２固定部を設け、
且つ該第２固定部上縁が該第１固定部上縁より比較的低く、該第１固定部上に第１受け板を組み込み固定設置し、該第２固定部上に第２受け板を固定設置する口金と、
該第１受け板上に固定設置され、該第１受け板との間に導熱薄片を設ける光源組と、
該光源組と電気接続し、該収容室内に位置し、該第２受け板上に固定設置される電源モジュールと、
該口金末端に設けられ、該電源モジュールと電気接続する電源コネクタと、
を含むLEDランプ構造。
【請求項２】
前記口金外側周囲に複数のヒートシンク片を設ける請求項１に記載のLEDランプ構造。
【請求項３】
前記口金が非金属の放熱性材質で形成される請求項１又は２に記載のLEDランプ構造。
【請求項４】
前記非金属の放熱性材質は、プラスチックに導熱材質を混入して形成される請求項３に記載のLEDランプ構造。
【請求項５】
前記導熱材質が金属粉末又は炭素である請求項４に記載のLEDランプ構造。
【請求項６】
前記収容室の該口金大口縁近傍に環状の凸縁を形成し、且つ前記第１受け板は、該凸縁上に重ねて設けられる請求項１に記載のLEDランプ構造。
【請求項７】
前記第１固定部上縁は、該凸縁と同一高さ平面上に位置する請求項６に記載のLEDランプ構造。
【請求項８】
前記収容室内壁上に該第１，第２固定部を組み合わせ、複数の第１リブ及び複数の第２リブを設け、且つ該第１，第２リブが該収容室内中心に向けて延伸し、該第１，第２リブをそれぞれ該第１，第２リブ末端箇所に設けさせる請求項１に記載のLEDランプ構造。
【請求項９】
前記光源組は、回路板と、該回路板上に設けられるLEDユニットと、を含み、且つ該回路板背面は、該導熱片上に平らに貼付される請求項１に記載のLEDランプ構造。
【請求項１０】
前記光源組は、更に前記LEDユニットをそれに向けて投射させる透光マスクを含む請求項９に記載のLEDランプ構造。
【請求項１１】
前記口金及び該透光マスク間は、第１防水パッドを設け、該口金及び該電源コネクタ間は、第２防水パッドを設ける請求項１０に記載のLEDランプ構造。
【請求項１２】
前記第１固定部は、複数の固定部材を順に該回路板、該導熱薄片及び該第１受け板に貫通して組み立て固定設置してなる請求項９に記載のLEDランプ構造。
【請求項１３】
前記導熱薄片は、グラファイト材質から形成される請求項１又は１２に記載のLEDランプ構造。
【請求項１４】
前記第２固定部は、複数の固定部材により該第２受け板を貫通して固定設置される請求項１に記載のLEDランプ構造。
【請求項１５】
前記固定部材は、螺子又は螺子栓である請求項１２又は１４に記載のLEDランプ構造。